【手続補正書】
【提出日】平成17年10月11日(2005.10.11)
【手続補正１】
【補正対象書類名】明細書
【補正対象項目名】特許請求の範囲
【補正方法】変更
【補正の内容】
【特許請求の範囲】
【請求項１】
ローカルエリアネットワークを介して接続されたクライアントに対してコンテンツ送信を実行するコンテンツ提供サーバであり、
データ受信処理を実行するチューナと、
前記チューナによる受信コンテンツおよび制御情報の前記ローカルエリアネットワークを介したサーバクライアント間の通信処理を実行するデータ送受信部と、
前記チューナによる受信コンテンツに対応する属性情報をコンテンツ情報として格納したメタデータ記憶部と、
前記チューナによる受信コンテンツを記憶するコンテンツ記憶部と、
前記コンテンツ情報のクライアントに対する提供処理を実行するコンテンツ管理部と、
前記チューナを介した受信コンテンツに対する処理を実行するコンテンツ配信制御部とを有し、
前記コンテンツ配信制御部は、
前記チューナの受信コンテンツのクライアントに対する配信処理制御を実行し、チューナ受信コンテンツに対応する記録元コンテンツ識別子が設定されたチューナ制御インスタンスと、
前記チューナによる受信コンテンツの前記コンテンツ記憶部に対する記録処理制御を実行し、記録先コンテンツ識別子が設定された記憶部制御インスタンスとを有し、
前記チューナ制御インスタンス、および前記記憶部制御インスタンスの各々が、設定コンテンツ識別子に対応した制御を独立して実行する構成であることを特徴とするコンテンツ提供サーバ。
【請求項２】
前記記憶部制御インスタンスには、記録元コンテンツ識別子が設定され、
前記記憶部制御インスタンスは、
前記記録元コンテンツ識別子に基づいて記録コンテンツの特定処理を実行する構成であることを特徴とする請求項１に記載のコンテンツ提供サーバ。
【請求項３】
前記コンテンツ管理部は、
コンテンツ管理ディレクトリに基づくコンテンツ情報管理を実行する構成であり、
前記記録元コンテンツ識別子を、前記コンテンツ管理ディレクトリの管理オブジェクトとしてのチューナコンテナのメタデータとして設定し、前記記録先コンテンツ識別子を、前記コンテンツ管理ディレクトリの管理オブジェクトとしてのコンテンツ格納オブジェクトのメタデータとして設定するとともに、前記クライアントからの要求に応じて前記メタデータの提供処理を実行する構成を有し、
前記チューナ制御インスタンス、および前記記憶部制御インスタンスの各々は、前記クライアントからの要求に応じて、前記記録元コンテンツ識別子または記録先コンテンツ識別子の設定処理を実行する構成であることを特徴とする請求項１に記載のコンテンツ提供サーバ。
【請求項４】
前記記録元コンテンツ識別子は、前記チューナの受信チャンネル中、少なくとも複数チャンネルを含むチャンネルリストの識別情報としてのチャンネルリスト識別子であり、
前記チューナ制御インスタンスは、
前記チャンネルリストに記述された複数チャンネルに対応するチューナの受信する複数コンテンツを制御コンテンツの一単位として設定し、クライアントから受信するチャンネルリスト識別子に対応する制御要求に基づいて、前記チャンネルリストに記述された複数チャンネルに対応する配信コンテンツの制御を実行する構成であることを特徴とする請求項１に記載のコンテンツ提供サーバ。
【請求項５】
前記記録元コンテンツ識別子は、前記チューナの受信チャンネル中、少なくとも複数チャンネルを含むチャンネルリストの識別情報として設定されたチャンネルリストＵＲＬ（Uniform Resource Locators）であり、
前記記録先コンテンツ識別子は、前記コンテンツ記憶部に設定されたコンテンツ格納領域に対応するコンテンツ格納オブジェクトの識別子として設定されたコンテンツ格納オブジェクトＵＲＬであることを特徴とする請求項１に記載のコンテンツ提供サーバ。
【請求項６】
前記コンテンツ管理部は、
コンテンツ管理ディレクトリに基づくコンテンツ情報管理を実行する構成であり、
前記コンテンツ管理ディレクトリの管理オブジェクトとしてのコンテンツ格納オブジェクトのメタデータとして、コンテンツ記録終了時間情報、記録品質の少なくともいずれかの設定情報を保持可能な構成を有し、
前記記録先コンテンツ識別子が設定された記憶部制御インスタンスは、前記設定情報に従ったコンテンツ記録処理を実行する構成であることを特徴とする請求項１に記載のコンテンツ提供サーバ。
【請求項７】
前記コンテンツ管理部は、
前記クライアントからのコンテンツ格納オブジェクトの生成要求にライブコンテンツの格納用のコンテンツ格納オブジェクトの生成要求であることを示す情報が含まれることを条件として、生成オブジェクトに対するメタデータとして、コンテンツ格納オブジェクトＵＲＬを設定する処理を実行する構成であることを特徴とする請求項１に記載のコンテンツ提供サーバ。
【請求項８】
前記コンテンツ提供サーバは、
前記クライアントからのコンテンツ格納オブジェクトの生成要求にライブコンテンツの格納用のコンテンツ格納オブジェクトの生成要求であることを示す情報が含まれることを条件として、前記記憶部制御インスタンスの設定処理を実行する構成であることを特徴とする請求項１に記載のコンテンツ提供サーバ。
【請求項９】
前記記憶部制御インスタンスの設定処理には、記録先コンテンツ識別子としてのコンテンツ格納オブジェクトＵＲＬの設定処理を含むことを特徴とする請求項８に記載のコンテンツ提供サーバ。
【請求項１０】
前記コンテンツ情報には、
コンテンツ対応のプロトコル情報が含まれ、
前記記録元コンテンツに対応して設定されるプロトコル情報には、チューナ識別情報としてのファンクションＩＤが設定され、
前記記録先コンテンツに対応して設定されるプロトコル情報には、コンテンツ記憶部識別情報としてのファンクションＩＤが設定され、
前記コンテンツ配信制御部は、
前記チューナ制御インスタンス、および前記記憶部制御インスタンスの各々を前記ファンクションＩＤに基づいて決定される制御対象の制御を実行する制御インスタンスとして設定する処理を実行する構成であることを特徴とする請求項１に記載のコンテンツ提供サーバ。
【請求項１１】
前記コンテンツ配信制御部は、
コンテンツ識別子によって特定されるコンテンツの処理制御を実行する制御インスタンスを設定して、制御インスタンスに基づくコンテンツ毎の制御を実行する構成であり、
前記チューナ制御インスタンス、および前記記憶部制御インスタンスの各々の識別子としてのインスタンスＩＤと、サーバクライアント間のコネクション識別子であるコネクションＩＤと、配信コンテンツに対応するプロトコル情報とを対応付けたコネクション管理テーブルに基づくコネクション管理を実行する構成であることを特徴とする請求項１に記載のコンテンツ提供サーバ。
【請求項１２】
前記コンテンツ配信制御部は、
ＳＯＡＰ(Simple Object Access Control)プロトコルに従った配信コンテンツの制御要求をクライアントから受信し、該制御要求に基づいて、コンテンツ制御を実行する構成であることを特徴とする請求項１に記載のコンテンツ提供サーバ。
【請求項１３】
ローカルエリアネットワークを介して接続されたサーバに対するチューナ受信コンテンツのデータ処理を要求するクライアントとしての情報処理装置であり、
前記ローカルエリアネットワークを介して前記サーバから受信するコンテンツ情報に含まれるプロトコル情報中の、チューナ識別情報としてのチューナ識別ファンクションＩＤを含む第１のプロトコル情報、およびデータ記憶部識別情報としてのデータ記憶部識別ファンクションＩＤを含む第２のプロトコル情報を前記サーバに対して送信するとともに、
前記ローカルエリアネットワークを介して前記サーバから受信するチューナ制御インスタンスＩＤおよび記憶部制御インスタンスＩＤを取得し、該制御インスタンスＩＤを指定した各制御インスタンスに対する制御要求の送信処理を実行する構成を有することを特徴とする情報処理装置。
【請求項１４】
前記情報処理装置は、
前記チューナ制御インスタンスに対して記録元コンテンツ識別子、前記記憶部制御インスタンスに対して記録先コンテンツ識別子のセット要求を行うとともに、前記記憶部制御インスタンスに対して、前記記録元コンテンツ識別子を通知する処理を実行する構成を有することを特徴とする請求項１３に記載の情報処理装置。
【請求項１５】
前記記録元コンテンツ識別子は、前記チューナの受信チャンネル中、少なくとも複数チャンネルを含むチャンネルリストの識別情報として設定されたチャンネルリストＵＲＬ（Uniform Resource Locators）であり、
前記記録先コンテンツ識別子は、前記コンテンツ記憶部に設定されたコンテンツ格納領域に対応するコンテンツ格納オブジェクトの識別子として設定されたコンテンツ格納オブジェクトＵＲＬであることを特徴とする請求項１４に記載の情報処理装置。
【請求項１６】
チューナによる受信コンテンツの処理を実行する情報処理方法であり、
ローカルエリアネットワークを介して接続されたクライアントに対して、前記チューナの受信コンテンツの配信処理制御を実行するチューナ制御インスタンスに対して記録元コンテンツ識別子を設定するステップと、
前記チューナによる受信コンテンツの前記コンテンツ記憶部に対する記録処理制御を実行する記憶部制御インスタンスに対して記録先コンテンツ識別子を設定するステップと、
前記ローカルエリアネットワークを介して接続されたクライアントからのチューナ制御インスタンスまたは記憶部制御インスタンスの識別情報を持つ制御要求を受信する制御要求受信ステップと、
前記識別情報に基づいて、チューナ制御インスタンスまたは記憶部制御インスタンスによるチューナ制御または記憶部制御を実行する制御ステップと、
を有することを特徴とする情報処理方法。
【請求項１７】
前記情報処理方法において、さらに、
前記記憶部制御インスタンスに対して記録元コンテンツ識別子を設定するステップを有し、
前記記憶部制御インスタンスは、
前記記録元コンテンツ識別子に基づいて記録コンテンツの特定処理を実行することを特徴とする請求項１６に記載の情報処理方法。
【請求項１８】
前記情報処理方法は、さらに、
前記記録元コンテンツ識別子を、コンテンツ管理ディレクトリの管理オブジェクトとしてのチューナコンテナのメタデータとして設定するステップと、
前記記録先コンテンツ識別子を、前記コンテンツ管理ディレクトリの管理オブジェクトとしてのコンテンツ格納オブジェクトのメタデータとして設定するステップと、
前記クライアントからの要求に応じて前記メタデータの提供処理を実行するステップと、
前記チューナ制御インスタンス、および前記記憶部制御インスタンスの各々において、
前記クライアントからの要求に応じて、前記記録元コンテンツ識別子または記録先コンテンツ識別子の設定処理を実行することを特徴とする請求項１６に記載の情報処理方法。
【請求項１９】
前記記録元コンテンツ識別子は、前記チューナの受信チャンネル中、少なくとも複数チャンネルを含むチャンネルリストの識別情報としてのチャンネルリスト識別子であり、
前記チューナ制御インスタンスは、
前記チャンネルリストに記述された複数チャンネルに対応するチューナの受信する複数コンテンツを制御コンテンツの一単位として設定し、クライアントから受信するチャンネルリスト識別子に対応する制御要求に基づいて、前記チャンネルリストに記述された複数チャンネルに対応する配信コンテンツの制御を実行することを特徴とする請求項１６に記載の情報処理方法。
【請求項２０】
前記記録元コンテンツ識別子は、前記チューナの受信チャンネル中、少なくとも複数チャンネルを含むチャンネルリストの識別情報として設定されたチャンネルリストＵＲＬ（Uniform Resource Locators）であり、
前記記録先コンテンツ識別子は、前記コンテンツ記憶部に設定されたコンテンツ格納領域に対応するコンテンツ格納オブジェクトの識別子として設定されたコンテンツ格納オブジェクトＵＲＬであることを特徴とする請求項１６に記載の情報処理方法。
【請求項２１】
前記情報処理方法において、さらに、
コンテンツ管理ディレクトリの管理オブジェクトとしてのコンテンツ格納オブジェクトのメタデータとして、コンテンツ記録終了時間情報、記録品質の少なくともいずれかの設定情報を設定するステップと、
前記記録先コンテンツ識別子が設定された記憶部制御インスタンスにおいて、前記設定情報に従ったコンテンツ記録処理を実行するステップと、
を含むことを特徴とする請求項１６に記載の情報処理方法。
【請求項２２】
前記情報処理方法において、さらに、
前記クライアントからのコンテンツ格納オブジェクトの生成要求にライブコンテンツの格納用のコンテンツ格納オブジェクトの生成要求であることを示す情報が含まれることを条件として、生成オブジェクトに対するメタデータとして、コンテンツ格納オブジェクトＵＲＬを設定する処理を実行するステップを含むことを特徴とする請求項１６に記載の情報処理方法。
【請求項２３】
前記情報処理方法において、さらに、
前記クライアントからのコンテンツ格納オブジェクトの生成要求にライブコンテンツの格納用のコンテンツ格納オブジェクトの生成要求であることを示す情報が含まれることを条件として、前記記憶部制御インスタンスの設定処理を実行するステップを含むことを特徴とする請求項１６に記載の情報処理方法。
【請求項２４】
前記記憶部制御インスタンスの設定処理には、記録先コンテンツ識別子としてのコンテンツ格納オブジェクトＵＲＬの設定処理を含むことを特徴とする請求項２３に記載の情報処理方法。
【請求項２５】
前記コンテンツ情報には、
コンテンツ対応のプロトコル情報が含まれ、
前記記録元コンテンツに対応して設定されるプロトコル情報には、チューナ識別情報としてのファンクションＩＤが設定され、
前記記録先コンテンツに対応して設定されるプロトコル情報には、コンテンツ記憶部識別情報としてのファンクションＩＤが設定され、
前記情報処理方法は、さらに、
前記チューナ制御インスタンス、および前記記憶部制御インスタンスの各々を前記ファンクションＩＤに基づいて決定される制御対象の制御を実行する制御インスタンスとして設定する処理を実行することを特徴とする請求項１６に記載の情報処理方法。
【請求項２６】
前記情報処理方法は、さらに、
コンテンツ識別子によって特定されるコンテンツの処理制御を実行する制御インスタンスを設定して、制御インスタンスに基づくコンテンツ毎の制御を実行するステップを含み、
前記チューナ制御インスタンス、および前記記憶部制御インスタンスの各々の識別子としてのインスタンスＩＤと、サーバクライアント間のコネクション識別子であるコネクションＩＤと、配信コンテンツに対応するプロトコル情報とを対応付けたコネクション管理テーブルに基づくコネクション管理を実行することを特徴とする請求項１６に記載の情報処理方法。
【請求項２７】
前記制御要求受信ステップは、
ＳＯＡＰ(Simple Object Access Control)プロトコルに従った配信コンテンツの制御要求をクライアントから受信し、
前記制御ステップは、
クライアントから受信する制御要求に基づいて、コンテンツ制御を実行する構成であることを特徴とする請求項１６に記載の情報処理方法。
【請求項２８】
ローカルエリアネットワークを介して接続されたサーバに対するチューナ受信コンテンツのデータ処理を要求するクライアントにおける情報処理方法であり、
前記ローカルエリアネットワークを介して前記サーバから受信するコンテンツ情報に含まれるプロトコル情報中の、チューナ識別情報としてのチューナ識別ファンクションＩＤを含む第１のプロトコル情報、およびデータ記憶部識別情報としてのデータ記憶部識別ファンクションＩＤを含む第２のプロトコル情報を前記サーバに対して送信するプロトコル情報送信ステップと、
前記ローカルエリアネットワークを介して前記サーバから受信するチューナ制御インスタンスＩＤおよび記憶部制御インスタンスＩＤを取得するＩＤ取得ステップと、
制御インスタンスＩＤを指定した各制御インスタンスに対する制御要求の送信処理を実行する制御要求送信ステップと、
を有することを特徴とする情報処理方法。
【請求項２９】
前記情報処理方法は、さらに、
前記チューナ制御インスタンスに対して記録元コンテンツ識別子、前記記憶部制御インスタンスに対して記録先コンテンツ識別子のセット要求を行うとともに、前記記憶部制御インスタンスに対して、前記記録元コンテンツ識別子を通知する処理を実行するステップを含むことを特徴とする請求項２８に記載の情報処理方法。
【請求項３０】
前記記録元コンテンツ識別子は、前記チューナの受信チャンネル中、少なくとも複数チャンネルを含むチャンネルリストの識別情報として設定されたチャンネルリストＵＲＬ（Uniform Resource Locators）であり、
前記記録先コンテンツ識別子は、前記コンテンツ記憶部に設定されたコンテンツ格納領域に対応するコンテンツ格納オブジェクトの識別子として設定されたコンテンツ格納オブジェクトＵＲＬであることを特徴とする請求項２９に記載の情報処理方法。
【請求項３１】
チューナによる受信コンテンツの処理を実行するコンピュータ・プログラムであり、
ローカルエリアネットワークを介して接続されたクライアントに対して、前記チューナの受信コンテンツの配信処理制御を実行するチューナ制御インスタンスに対して記録元コンテンツ識別子を設定するステップと、
前記チューナによる受信コンテンツの前記コンテンツ記憶部に対する記録処理制御を実行する記憶部制御インスタンスに対して記録先コンテンツ識別子を設定するステップと、
前記ローカルエリアネットワークを介して接続されたクライアントからのチューナ制御インスタンスまたは記憶部制御インスタンスの識別情報を持つ制御要求を受信する制御要求受信ステップと、
前記識別情報に基づいて、チューナ制御インスタンスまたは記憶部制御インスタンスによるチューナ制御または記憶部制御を実行する制御ステップと、
を有することを特徴とするコンピュータ・プログラム。
【請求項３２】
ローカルエリアネットワークを介して接続されたサーバに対するチューナ受信コンテンツのデータ処理を要求するクライアントにおけるコンピュータ・プログラムであり、
前記ローカルエリアネットワークを介して前記サーバから受信するコンテンツ情報に含まれるプロトコル情報中の、チューナ識別情報としてのチューナ識別ファンクションＩＤを含む第１のプロトコル情報、およびデータ記憶部識別情報としてのデータ記憶部識別ファンクションＩＤを含む第２のプロトコル情報を前記サーバに対して送信するプロトコル情報送信ステップと、
前記ローカルエリアネットワークを介して前記サーバから受信するチューナ制御インスタンスＩＤおよび記憶部制御インスタンスＩＤを取得するＩＤ取得ステップと、
制御インスタンスＩＤを指定した各制御インスタンスに対する制御要求の送信処理を実行する制御要求送信ステップと、
を有することを特徴とするコンピュータ・プログラム。
【手続補正２】
【補正対象書類名】明細書
【補正対象項目名】００２２
【補正方法】変更
【補正の内容】
【００２２】
【課題を解決するための手段】
本発明の第１の側面は、
ローカルエリアネットワークを介して接続されたクライアントに対してコンテンツ送信を実行するコンテンツ提供サーバであり、
データ受信処理を実行するチューナと、
前記チューナによる受信コンテンツおよび制御情報の前記ローカルエリアネットワークを介したサーバクライアント間の通信処理を実行するデータ送受信部と、
前記チューナによる受信コンテンツに対応する属性情報をコンテンツ情報として格納したメタデータ記憶部と、
前記チューナによる受信コンテンツを記憶するコンテンツ記憶部と、
前記コンテンツ情報のクライアントに対する提供処理を実行するコンテンツ管理部と、
前記チューナを介した受信コンテンツに対する処理を実行するコンテンツ配信制御部とを有し、
前記コンテンツ配信制御部は、
前記チューナの受信コンテンツのクライアントに対する配信処理制御を実行し、チューナ受信コンテンツに対応する記録元コンテンツ識別子が設定されたチューナ制御インスタンスと、
前記チューナによる受信コンテンツの前記コンテンツ記憶部に対する記録処理制御を実行し、記録先コンテンツ識別子が設定された記憶部制御インスタンスとを有し、
前記チューナ制御インスタンス、および前記記憶部制御インスタンスの各々が、設定コンテンツ識別子に対応した制御を独立して実行する構成であることを特徴とするコンテンツ提供サーバにある。
【手続補正３】
【補正対象書類名】明細書
【補正対象項目名】００３４
【補正方法】変更
【補正の内容】
【００３４】
本発明の第２の側面は、
ローカルエリアネットワークを介して接続されたサーバに対するチューナ受信コンテンツのデータ処理を要求するクライアントとしての情報処理装置であり、
前記ローカルエリアネットワークを介して前記サーバから受信するコンテンツ情報に含まれるプロトコル情報中の、チューナ識別情報としてのチューナ識別ファンクションＩＤを含む第１のプロトコル情報、およびデータ記憶部識別情報としてのデータ記憶部識別ファンクションＩＤを含む第２のプロトコル情報を前記サーバに対して送信するとともに、
前記ローカルエリアネットワークを介して前記サーバから受信するチューナ制御インスタンスＩＤおよび記憶部制御インスタンスＩＤを取得し、該制御インスタンスＩＤを指定した各制御インスタンスに対する制御要求の送信処理を実行する構成を有することを特徴とする情報処理装置にある。
【手続補正４】
【補正対象書類名】明細書
【補正対象項目名】００３７
【補正方法】変更
【補正の内容】
【００３７】
本発明の第３の側面は、
チューナによる受信コンテンツの処理を実行する情報処理方法であり、
ローカルエリアネットワークを介して接続されたクライアントに対して、前記チューナの受信コンテンツの配信処理制御を実行するチューナ制御インスタンスに対して記録元コンテンツ識別子を設定するステップと、
前記チューナによる受信コンテンツの前記コンテンツ記憶部に対する記録処理制御を実行する記憶部制御インスタンスに対して記録先コンテンツ識別子を設定するステップと、
前記ローカルエリアネットワークを介して接続されたクライアントからのチューナ制御インスタンスまたは記憶部制御インスタンスの識別情報を持つ制御要求を受信する制御要求受信ステップと、
前記識別情報に基づいて、チューナ制御インスタンスまたは記憶部制御インスタンスによるチューナ制御または記憶部制御を実行する制御ステップと、
を有することを特徴とする情報処理方法にある。
【手続補正５】
【補正対象書類名】明細書
【補正対象項目名】００４９
【補正方法】変更
【補正の内容】
【００４９】
本発明の第４の側面は、
ローカルエリアネットワークを介して接続されたサーバに対するチューナ受信コンテンツのデータ処理を要求するクライアントにおける情報処理方法であり、
前記ローカルエリアネットワークを介して前記サーバから受信するコンテンツ情報に含まれるプロトコル情報中の、チューナ識別情報としてのチューナ識別ファンクションＩＤを含む第１のプロトコル情報、およびデータ記憶部識別情報としてのデータ記憶部識別ファンクションＩＤを含む第２のプロトコル情報を前記サーバに対して送信するプロトコル情報送信ステップと、
前記ローカルエリアネットワークを介して前記サーバから受信するチューナ制御インスタンスＩＤおよび記憶部制御インスタンスＩＤを取得するＩＤ取得ステップと、
制御インスタンスＩＤを指定した各制御インスタンスに対する制御要求の送信処理を実行する制御要求送信ステップと、
を有することを特徴とする情報処理方法にある。
【手続補正６】
【補正対象書類名】明細書
【補正対象項目名】００５２
【補正方法】変更
【補正の内容】
【００５２】
本発明の第５の側面は、
チューナによる受信コンテンツの処理を実行するコンピュータ・プログラムであり、
ローカルエリアネットワークを介して接続されたクライアントに対して、前記チューナの受信コンテンツの配信処理制御を実行するチューナ制御インスタンスに対して記録元コンテンツ識別子を設定するステップと、
前記チューナによる受信コンテンツの前記コンテンツ記憶部に対する記録処理制御を実行する記憶部制御インスタンスに対して記録先コンテンツ識別子を設定するステップと、
前記ローカルエリアネットワークを介して接続されたクライアントからのチューナ制御インスタンスまたは記憶部制御インスタンスの識別情報を持つ制御要求を受信する制御要求受信ステップと、
前記識別情報に基づいて、チューナ制御インスタンスまたは記憶部制御インスタンスによるチューナ制御または記憶部制御を実行する制御ステップと、
を有することを特徴とするコンピュータ・プログラムにある。
【手続補正７】
【補正対象書類名】明細書
【補正対象項目名】００５３
【補正方法】変更
【補正の内容】
【００５３】
本発明の第６の側面は、
ローカルエリアネットワークを介して接続されたサーバに対するチューナ受信コンテンツのデータ処理を要求するクライアントにおけるコンピュータ・プログラムであり、
前記ローカルエリアネットワークを介して前記サーバから受信するコンテンツ情報に含まれるプロトコル情報中の、チューナ識別情報としてのチューナ識別ファンクションＩＤを含む第１のプロトコル情報、およびデータ記憶部識別情報としてのデータ記憶部識別ファンクションＩＤを含む第２のプロトコル情報を前記サーバに対して送信するプロトコル情報送信ステップと、
前記ローカルエリアネットワークを介して前記サーバから受信するチューナ制御インスタンスＩＤおよび記憶部制御インスタンスＩＤを取得するＩＤ取得ステップと、
制御インスタンスＩＤを指定した各制御インスタンスに対する制御要求の送信処理を実行する制御要求送信ステップと、
を有することを特徴とするコンピュータ・プログラムにある。
【手続補正８】
【補正対象書類名】明細書
【補正対象項目名】００８９
【補正方法】変更
【補正の内容】
【００８９】
［クライアントによるコンテンツ再生処理］
コンテンツを再生しようとするクライアントは、サーバに対してコンテンツ要求を行い、要求コンテンツをサーバから受信してコンテンツの再生を行うことができる。一般的なコンテンツ再生の手順について図５を参照して説明する。まず、ステップＳ１１において、クライアントは、サーバの保有するコンテンツ情報の取得要求を行う。ステップＳ１２で、サーバは、クライアントの要求に従ってコンテンツ対応のメタデータに基づいて、コンテンツの所在を示すアドレス情報としてのコンテンツのＵＲＬ（Uniform Resource Locators）一覧、コンテンツのタイトル、アーティスト名などのコンテンツ情報をＸＭＬ（eXtensible Markup Language）データにより生成してクライアントに送信する。
【手続補正９】
【補正対象書類名】明細書
【補正対象項目名】０２０１
【補正方法】変更
【補正の内容】
【０２０１】
２つのＢＳ波を２つのチューナを介して視聴する場合は、ＢＳ波コンテナ６２１にあるチャンネルリストＵＲＬ−ＢＳ１（ｆｕｎｃＩＤ＝ａ）と、チャンネルリストＵＲＬ−ＢＳ２（ｆｕｎｃＩＤ＝ｂ）とをそれぞれことなるＡＶＴインスタンスにセットして、それぞれが異なるチューナの制御を行うことで２つのＢＳ波がそれぞれのクライアントに送信される。
【手続補正１０】
【補正対象書類名】明細書
【補正対象項目名】０２２３
【補正方法】変更
【補正の内容】
【０２２３】
クライアントから接続準備要求を受信したコネクションマネージャサービス４３１は、接続準備要求に含まれるプロトコル情報［internal:1.2.3.4:application/x-av-tuner-content:func-id=t01］に基づいて、チューナによる受信データのストリーミング配信の要求であると判断し、ステップＳ６０７において、コンテンツ対応制御部４３２内の１つのＡＶＴインスタンス４３３をチューナコントロールインスタンスとして設定（アサイン）し、接続準備要求を送信してきたクライアントに対するコネクションＩＤと、ＡＶＴインスタンスの識別子（ＡＶＴインスタンスＩＤ）とのバインド処理、すなわち対応付け、図１０に示すコネクション管理テーブルに対するエントリ設定を行い、ステップＳ６０８において、コネクションＩＤとＡＶＴインスタンスＩＤをクライアントに通知する。
【手続補正１１】
【補正対象書類名】明細書
【補正対象項目名】図１９
【補正方法】変更
【補正の内容】
【図１９】
チューナ受信データのストリーミング配信処理およびライブコンテンツ記録を実行するサーバの構成を示す図である。